(57)【要約】【課題】　少なくとも１つのデジタル画像を直観的に見るためのデジタル画像形成システムおよび方法である。【解決手段】　該システムは表示装置を含む。該方法は、該表示装置の動きを検出する段階と、該少なくとも１つのデジタル画像の更新ビューを生成すべく、検出されたその動きに従って該少なくとも１つのデジタル画像内でナビゲートする段階と、および該少なくとも１つのデジタル画像の更新ビューを前記表示装置上に表示する段階と、を含んでなる。【選択図】　　　図３
2004135354.tif 000002
【特許請求の範囲】
【請求項１】
　表示装置を有するデジタル画像形成システムを用いて少なくとも１つのデジタル画像を見る方法において、
　前記表示装置の動きを検出する段階と、
　前記少なくとも１つのデジタル画像の更新ビューを生成すべく、その検出された動きに従って該少なくとも１つのデジタル画像内でナビゲートする段階と、
　前記少なくとも１つのデジタル画像の前記更新ビューを前記表示装置上に表示する段階と、
　を有することを特徴とする方法。
【請求項２】
　表示装置を有するデジタル画像形成システムを用いて少なくとも１つのデジタル画像を見る方法において、
　前記表示装置との相対関係におけるユーザの動きを検出する段階と、
　前記少なくとも１つのデジタル画像の更新ビューを生成すべく、検出されたその動きに従って該少なくとも１つのデジタル画像内でナビゲートする段階と、
　前記少なくとも１つのデジタル画像の前記更新ビューを前記表示装置上に表示する段階と、
　を有することを特徴とする方法。
【発明の詳細な説明】
【技術分野】
【０００１】
　本発明は一般に、デジタル画像形成の分野に関し、特に、本発明は、デジタル画像を直観的に見るようなデジタル画像の処理に関する。
【背景技術】
【０００２】
　デジタル画像は、キオスク、デジタルビデオカメラ、デジタルカメラなどのようなデジタル画像形成システムを用いて取り込み可能である。いったんデジタル画像を取り込むと、その画像はデジタル画像形成システムを用いて見ることができる。例えば、キオスクを用いて見る場合、デジタル画像はモニタ、スクリーン、表示装置など（以下、表示装置と称す）上に表示されることになる。デジタルカメラを用いて見る場合、デジタル画像は、デジタルカメラの表示装置上に表示されることになる。その後、望ましい場合、画像を記憶または伝送して、デジタル画像を含む出力画像製品を生成することが可能である。出力画像製品の例としては、ハードコピープリント、マグカップ、Ｔシャツ、ＣＤまたはフロッピーが含まれる。
【０００３】
　デジタル画像形成システムの表示装置上に表示された画像は、表示装置の解像度によって左右される。さらに、表示されたデジタル画像のサイズは、表示装置のサイズによって左右される。従ってユーザは、表示装置のサイズおよび／または解像度の要因で、表示装置内のデジタル画像を見るだけでは、取り込まれた画像の内容を完全に評価することはできないことがある。すなわち、ユーザは、特に表示装置のサイズが小さい場合には、表示装置内に取り込まれた画像を見るだけでは画像の内容を完全に見極めることができないことがある。
【０００４】
　一部のデジタル画像形成システムにおいては、システムの表示装置内で見るために、取り込まれた画像をユーザが平行移動または拡大できるようにレバーまたはボタンといったような少なくとも１つの部材を含んでいる。平行移動／拡大というこれらの機能は一般にそれぞれパン（pan）およびズームと呼ばれている。パン／ズーム機能を起動させることによって、表示された画像は、表示装置内で見るために平行移動／拡大される。
【０００５】
　しかしながら、このようなズーム／パン部材の使用は、特にデジタルカメラといったデジタル画像形成システムの初心者ユーザにとっては、直観的ではないかもしれない。
【０００６】
　従って、直観的に見るためにデジタル画像を処理する方法に対するニーズがひき続き存在している。この方法は、あらゆるデジタル画像形成システム、特にデジタルカメラといった移動式／携帯式／手持ち式デジタル画像形成システムに適している。
【０００７】
【特許文献１】米国特許第５１６４８３１号明細書
【非特許文献１】CompactFlash Specification Version 1.3, published by the CompactFlash Association, Palo Alto, California, August 5, 1998. Other types of digital memory
【非特許文献２】Compact Flash Specification, Version 1.4 published by CompactFlash Association, Palo Alto, CA, 1998-1999
【発明の開示】
【発明が解決しようとする課題】
【０００８】
　本発明の目的は、デジタル画像を直観的（intuitive）に見るためのデジタル画像処理方法を提供することにある。
【０００９】
　本発明のもう１つの目的は、デジタル画像を直観的に見るための、そして後にまた見る機会のために情報を保存するための、デジタル画像の処理方法を提供することにある。
【００１０】
　さらに、本発明のもう１つの目的は、デジタルカメラといった移動式／携帯式／手持ち式デジタル画像形成システムにとって適切な方法を提供することにある。
【００１１】
　これらの目的は、単なる一例として示されているにすぎない。かくして、ここに開示された発明によって本質的に達成されるその他の望ましい目的および利点も、当業者にとって案出可能または明らかとなり得る。本発明は、添付の特許請求の範囲よって定められる。
【課題を解決するための手段】
【００１２】
　本発明の１態様によると、表示装置を有するデジタル画像形成システムを使用して少なくとも１つのデジタル画像を見る方法が提供される。この方法は、表示装置の動きを検出する段階と、少なくとも１つのデジタル画像の更新されたビュー（更新ビュー）を生成すべく、検出されたその動きに従って該少なくとも１つのデジタル画像内でナビゲートする段階と、該少なくとも１つのデジタル画像の更新ビューを表示装置上に表示する段階を有する。
【００１３】
　本発明のもう１つの態様によると、表示装置を有するデジタル画像形成システムを使用して複数のデジタル画像を見る方法が提供される。この方法は、表示装置の動きを検出する段階と、複数のデジタル画像の更新ビューを生成すべく、検出されたその動きに従って複数のデジタル画像内でナビゲートする段階と、複数のデジタル画像の更新ビューを表示装置上に表示する段階と、を有する。
【００１４】
　本発明のもう１つ態様によると、表示装置を有するデジタル画像形成システムを使用して少なくとも１つのデジタル画像を見る方法が提供される。この方法は、表示装置との相対関係におけるユーザの動きを検出する段階と、少なくとも１つのデジタル画像の更新ビューを生成すべく、検出されたその動きに従って該少なくとも１つのデジタル画像内でナビゲートする段階と、該少なくとも１つのデジタル画像の更新ビューを表示装置上に表示する段階と、を有する。
【００１５】
　本発明のさらにもう１つの態様によると、表示装置を有するデジタル画像形成システムを使用して少なくとも１つのデジタル画像を見る方法が提供される。この方法は、周囲との相対関係における表示装置の動きを検出する段階と、少なくとも１つのデジタル画像の更新ビューを生成すべく、検出されたその動きに従って該少なくとも１つのデジタル画像内でナビゲートする段階と、該少なくとも１つのデジタル画像の更新ビューを表示装置上に表示する段階と、を含んでなる。
【００１６】
　本発明のさらなる態様によると、表示装置の動きを検出するための少なくとも１つの検出用部材と、検出されたその動きに従って該少なくとも１つのデジタル画像内をナビゲートすることにより該少なくとも１つのデジタル画像の更新ビューを生成するためのプロセッサと、該少なくとも１つのデジタル画像の更新ビューを表示するための表示装置と、を含んでなるデジタル画像形成システムが提供される。
【００１７】
　本発明のさらにもう１つの態様によると、表示装置との相対関係における動きを検出するための少なくとも１つの検出用部材と、検出されたその動きに従って該少なくとも１つのデジタル画像内をナビゲートすることにより該少なくとも１つのデジタル画像の更新ビューを生成するためのプロセッサと、該少なくとも１つのデジタル画像の更新ビューを表示するための表示装置と、を含んでなるデジタル画像形成システムが提供される。
【００１８】
　本発明は、直観的に見るためのデジタル画像処理方法を提供する。この方法は、あらゆるデジタル画像形成システムのために適しているが、特にデジタルカメラといった可動式／携帯式／手持ち式デジタル画像形成システムに適している。
【発明を実施するための最良の形態】
【００１９】
　本発明の上述およびその他の目的、特徴および利点は、添付図面に示すような本発明の好ましい実施形態についての以下のより特定的な記述から明白となるであろう。
【実施例】
【００２０】
　以下に、同じ参照番号は同じ構成要素を示す各図面を参照して、本発明の好ましい実施形態の詳細な説明を示す。
【００２１】
　本発明の方法は、キオスク（例えばEastman Kodak Companyによって製造されたKodak Picture Maker）、デジタル画像取込みデバイス、デジタルビデオカメラ、デジタルカメラなどといったデジタル画像形成システムに適している。該方法は、手持ち式のデジタルビデオカメラまたはデジタルカメラといった容易に移動可能なデジタル画像形成システムに特に適している。従って、説明を容易にするため、本発明の方法は、図１に一般的に示すデジタルカメラ１０に関して述べることになるが、その他の既知のデジタル画像形成システムにより本発明を利用することも可能であるということを認識すべきである。
【００２２】
　デジタルカメラ１０はハウジング１１を含み、電子的に画像を取り込むようになっている。デジタルカメラ１０は、取外し可能なメモリスティック、またはカード１２といった取外し可能なメモリデバイス、または内部メモリに記憶されているデジタル画像を、取り込む。取外し可能なメモリカード１２は当業者にとって既知のものである。例えば、取外し可能なメモリカード１２には、ＰＣＭＣＩＡカードインタフェース規格および１９９８年８月５日付でCompactFlash Association Polo Alto, Californiaにより出版されたCompactFlash仕様書第１．３版に適合したメモリカードを含むことができる。デジタル画像を記憶するためには、磁気ハードドライブ、磁気テープ、ＣＤ、フロッピーディスク、光ディスクなどといったその他のタイプのデジタルメモリデバイスを使用することもできる。
【００２３】
　図２は、本発明の方法で使用するのに適した標準的なデジタルカメラ１０のブロック図である。デジタルカメラ１０は、ズームおよび焦点モータ１６および調整可能な絞りおよびシャッタ（図示せず）を有するズームレンズ１４を含み得る。画像がデジタルカメラ１０を用いて取り込まれる際に、ズームレンズ１４は、取込み中の場面（図示せず）からの光を画像センサ１８上に収束させる。画像センサ１８は、例えば、シングルチップカラー電荷結合素子（ＣＣＤ）画像センサでよく、周知のBayerカラーフィルタパターンを利用することもできる。画像センサ１８は、クロックドライバ２０によって制御される。ズームおよび焦点モータ１６およびクロックドライバ２０は、制御プロセッサおよびタイミング発生器２２から供給される制御信号によって制御される。制御プロセッサおよびタイミング発生器２２は、自動焦点および自動露光検出器２４からの入力を受信し、フラッシュ２６を制御する。画像センサ１８からのアナログ出力信号は増幅され、アナログ信号処理（ＡＳＰ：Analog Signal Processing）およびアナログ−デジタル（Ａ／Ｄ）コンバータ２８によりデジタルデータに変換される。コンバータ２８から受信したデジタルデータは、ＤＲＡＭバッファメモリ３０に記憶され、その後、画像プロセッサ３２により処理される。画像プロセッサ３２は、例えばフラッシュＥＰＲＯＭメモリからなるファームウェアメモリ３４に記憶されたファームウェアによって制御される。
【００２４】
　画像プロセッサ３２は、ファームウェアメモリ３４に記憶された命令に従って、取り込まれた画像を処理することになる。画像プロセッサ３２は、再現（render）されたｓＲＧＢ画像データを生成すべく、カラー補間とそれに続くカラーおよびトーン補正を実行する。この再現ｓＲＧＢ画像データはこのとき、例えば周知のＪＰＥＧフォーマットを用いて圧縮できる。メモリカードインタフェース３６を用いて、圧縮された画像データは次に画像ファイルとして、取外し可能なメモリカード１２に記憶される。画像プロセッサ３２は好ましくは、ＲＡＭメモリ３８に記憶されかつユーザが再び見るために取込み済み画像を表示する例えばカラーＬＣＤ表示装置といった表示装置４０に供給すべき画像を作り出す。画像および／またはビュー設定は、その後に見る機会にその画像を見るために、内部メモリ３９または取外し可能メモリ１２に記憶できる。
【００２５】
　デジタルカメラ１０は、画像取込み動作を開始する起動／取込みボタン（例えばシャッターボタン）（図示せず）を含む一連のユーザボタンといったユーザ制御部４２により制御される。カラーＬＣＤ画像表示装置４０上に表示されたグラフィカルユーザ・インタフェースは、ファームウェアメモリ３４に記憶されたファームウェアのユーザインタフェース部分によって制御される。
【００２６】
　デジタルカメラ１０により取り込まれた画像は、画像取込みデバイス１０から取外し可能メモリカード１２を取り外し、ホームパーソナルコンピュータといったコンピュータ４４の中のカード読取り装置（図示せず）に取外し可能メモリカード１２を挿入することによって、そのパーソナルコンピュータに転送することができる。あるいは、インタフェースケーブル４６を使用して、画像取込みデバイス１０内のホストインタフェース４８とコンピュータ４４内のＣＰＵマザーボード（図示せず）とを接続することができる。インタフェースケーブル４６は、例えば、周知のユニバーサルシリアルバス（ＵＳＢ）インタフェース仕様に適合できる。デジタルカメラ１０は、セルラーモデム５１を用いてセルラーホン呼出しを起動するようにされたセルラープロセッサ４９を含むことができる。
【００２７】
　＜表示装置は、ユーザ／周囲との相対関係において動く＞図３は、本発明による方法の第１の実施形態のフローチャートを示す。本発明の方法は、表示装置を有するデジタル画像形成システムを用いて少なくとも１つのデジタル画像を見る方法についてのものである。上述のように、本発明は、便宜上、表示装置を有するデジタルカメラを参照して記述する。
【００２８】
　デジタルカメラ１０により、少なくとも１つのデジタル画像がアクセスされ、かくして、ステップ１００で、デジタルカメラ１０の表示装置４０内に少なくとも１つの画像が表示される。ステップ１０２では、表示装置４０の動きが検出される。以下でさらに詳述するように、その動きは、ユーザ、表示装置近くの別の物体、または周囲との相対関係において検出できる。このとき、少なくとも１つのデジタル画像は、少なくとも１つのデジタル画像の更新ビューを生成すべく、検出されたその動きに従ってナビゲートされる（ステップ１０４）。少なくとも１つのデジタル画像の更新ビューは、このとき表示装置４０上に表示される（ステップ１０６）。更新ビューは、記憶、転送または印刷することもできる（ステップ１０８）。あるいは、更新ビューを生成するためのビュー設定を記憶することができる。より特定的には、デジタル画像から更新ビューを生成するために利用される座標を記憶、転送または印刷して、更新ビューを後に生成できるようにすることができる。
【００２９】
　以下で明白となるように、更新ビューは、デジタル画像の一部分を含むことができる。
【００３０】
　ここで、図４に示すデジタル画像５０を参考にしながら、図３の方法のステップについてさらに詳細に説明する。画像５０は一般に、滝を見渡す橋の上に立っている男女のものである。
【００３１】
　図５は、表示装置４０内に画像５０が表示されているデジタルカメラ１０の背面図を示す。図５に示すように表示装置４０が大きいサイズのものでない場合、ユーザは、美しい画像が取り込まれたか否かを十分に評価することができない可能性がある。例えば、その男性および女性の目は開いているか？　彼らは幸せそうに見えるか？　彼らはカメラを見ているか？である。取り込まれた画像が美しくないとユーザが評価できる場合、ユーザは別の画像を取り込むことができる。デジタルカメラの表示装置は、標準的に、例えば２８０×２８０画素といったように、そのサイズは大きくない。しかし、最高解像度のデジタル画像は、３．１メガピクセルの画像について２１６０画素×１４４０画素からなる。従ってユーザによるこの評価は、特に画像の拡大ハードコピープリント（例えば８×１０）をユーザが望む場合および／またはその画像の一部分を後でズーム／トリミングすることをユーザが望む場合に重要である。ユーザの評価が適正でない場合、ユーザは、その瞬間を取り込んだ美しい画像の取込みに失敗するかもしれない。
【００３２】
　かくして、評価を目的として画像５０を見るために、画像５０が表示装置４０内に表示される。このとき、表示装置４０は動かされ、そして表示装置４０の動きが検出される（ステップ１０２）。デジタルカメラ１０は、手持ちされることを意図したデバイスであり、従って容易に携帯および移動可能である。かくしてデジタルカメラ１０の表示装置４０は、複数の方法でかつ複数の方向にユーザによって動かすことができる。図６（ａ）〜（ｆ）は、表示装置４０を動かす複数の方法／方向を示す。その他の方法／方向も当業者は案出できるであろう。図６（ａ）〜（ｅ）に示すように、デジタルカメラはユーザとの相対関係において動かされる。図６（ａ）は、ユーザとの相対関係においてユーザに対し横方向に並んだ方向で円弧または彎曲した動作により動かされているデジタルカメラ１０を示す。図６（ｂ）は、ユーザとの相対関係においてユーザに対し横方向に並んだ方向に並進運動させられているデジタルカメラ１０を示す。図６（ｃ）および（ｄ）は、ユーザの平面内でそれぞれ円弧および線形なカメラの動きを示している。図６（ｅ）は、ユーザの方に向かっておよび／またはユーザから離れる方向でのデジタルカメラ１０の並進を示す。表示装置４０は、図６（ａ）〜（ｅ）に示す動きのうちの１またはそれ以上（すなわち組合せ）のものを用いて、動かすことができる。
【００３３】
　表示装置４０はまた、別の物体または周囲との相対関係において動かすこともできる。例えば、図６（ｆ）はデジタルカメラ１０のハウジング１１との相対関係において並進運動させられている表示装置４０を示す。
【００３４】
　動きの検出は、直交座標または極座標を用いて達成可能である。図７は、デジタルカメラ１０を動かしているユーザを示しており、その動きは直交座標系を用いて検出される。
【００３５】
　表示装置４０の動きは、当業者にとって既知の検出用部材を用いて検出可能である。図６（ａ）〜（ｅ）については、ユーザがデジタルカメラを持って動いている状態で、デジタルカメラ１０とユーザとの間の動きが検出される。従って相対移動は、ユーザの腕の長さを超えることのない所定の距離である。デジタルカメラ１０は、カメラの内部または外部に配置されているかまたはカメラの外部表面上に配置されている検出用部材を備えることができる。
【００３６】
　例えば、その検出用部材は、画像取込みに適合した画像センサとすることができ、相対移動は、その画像センサを使用することによって検出される。あるいは、検出用部材は、デジタルカメラ１０の表面上に配置されたレンジファインダとすることができ、このレンジファインダは、相対移動を決定するために用いられる。別の検出用部材は、相対移動を決定するために適合した全地球測位システムとすることができる。さらにまた、その検出用部材は、相対移動を決定するのに用いられる動きセンサとすることができる。
【００３７】
　図８（ａ）および（ｂ）は、デジタルカメラ１０の一部分５４上に配置された検出用部材５２の例を示す。部分５４は矢印５６に示されるように回転でき、位置検出用部材５２を表示装置４０から離れるように（図８（ａ）に図示）または表示装置４０に近付くように（図８（ｂ）に図示）方向づけできる。検出用部材５２の位置に応じて、検出用部材５２は、表示装置４０とユーザとの間の相対移動または表示装置４０と周囲またはその他の物体／主体との間の相対移動を検出するために利用することができる。例えば、図８（ｂ）に示すように表示装置４０の近くに位置づけされた場合、検出用部材５２はユーザとの関係における表示装置４０との相対位置を検出することができる。すなわち、検出用部材５２はユーザに面し、ユーザとの相対関係における表示装置４０の動きを検出することができる。図８（ａ）に示すように表示装置４０から離れるように面して位置づけされた場合には、検出用部材５２は、木またはもう１人の人間といったような周囲の物体との相対関係において表示装置４０の相対位置を検出することができる。上述のように、検出用部材５２は、画像センサ、レンジファインダ、全地球測位デバイスおよび動きセンサを含むことができる。
【００３８】
　動きが検出されたとき、検出されたその動きに従って、表示された画像内をナビゲート／移動するために、プロセッサ３２を利用してデジタル画像の更新ビューを生成する。すなわち、どのように表示装置４０が移動しようと、表示装置４０で画像５０も移動し、かくして表示装置４０内に画像５０の更新ビューが表示される。例えば、図４〜図７を参照すると、ユーザとの相対関係においてｘ方向にデジタルカメラ１０が動いたとすると、プロセッサ３２はｘ方向に画像５０内をナビゲートすることになり、かくして表示装置４０は、画像５０の最も右側の領域（画像５０については滝を含む）からなる更新ビューを表示することになる。同様にして、デジタルカメラ１０がユーザとの相対関係においてｙ方向に移動したとすると、プロセッサ３２はｙ方向で画像内をナビゲートすることになり、かくして表示装置４０は、画像５０の上部領域（画像５０については空と山頂を含む）を含む更新ビューを表示することになる。
【００３９】
　同様にして、デジタルカメラ１０がユーザの方に向かって動かされる（すなわちｚ方向にナビゲートしている）と、プロセッサ３２は、画像５０のその部分の上でズームイン（すなわち拡大）するように動作することになる。例えば、図５を参照すると、画像５０の男女の顔を評価するためには、ユーザは、ユーザとの相対関係においてｘおよびｙ方向にデジタルカメラ１０を動かし、かくして、男女は表示装置４０内で表示される。ユーザはこのときズームインするためにｚ方向（すなわちユーザの方に向かって）デジタルカメラ１０を動かし、かくして図９に示す画像５０の更新ビュー５０′が表示装置４０内に表示される。すなわち、更新ビューは５０′は画像５０の一部分の拡大であり、更新ビュー５０′は画像５０の一部分を含む。この拡大された部分は、その内容についてユーザによって評価可能である。
【００４０】
　従って本発明の方法は、表示装置４０内で表示することが望まれる画像の部分に対応する方向にユーザがデジタルカメラ１０を動かすことから、画像の直観的ビューを可能にする。このようにして、ユーザがデジタルカメラ１０を空間内で動かしている状態で、表示装置４０は、あたかもデジタルカメラ１０が表示装置４０の真うしろ側にあるさらに大きな画像のウィンドウであるかのように、表示された画像とは異なる部分を表示する。
【００４１】
　＜実施化＞デジタルカメラ１０を用いて本発明の方法を実施するためには、デジタルカメラ１０上の部材を利用することができる。図９は、画像を取り込むために十分に噛合／押下（engage／press）された画像取込み実施部材６０をもつデジタルカメラ１０を示す。この画像取込み実施部材６０はまた、本発明の方法を開始させるためにも利用することができる。例えば、画像取込み実施部材６０を部分的に押下げ／噛み合わせ（すなわち完全にではなく）、この位置に保持して本発明の方法を実現するモードを実施させることができる。このモードでは、ユーザは、画像取込み実施部材６０を部分的に押下しながら（半押し）、デジタルカメラ１０を動かし、かくして表示装置４０の動きが検出され、画像の更新ビューが表示装置４０内に表示されることになる。
【００４２】
　あるいは、画像取込み実施部材６０とは別の機能活性化部材６２を利用することができる。活性化部材６２は、本発明の方法を開始させるように完全に押下げ／噛合わせられることになる。すなわち、相対移動を検出する段階は、その相対移動を捉えるべく機能活性化部材６２を完全に押下げることによってなされる。活性化部材６２が解除されると、表示装置４０内に表示された（本発明の方法に従った）更新ビューを表示装置４０上に維持することができる。かかる活性化部材６２は、デジタルカメラ１０のハウジング１１上のどの場所にも配置できる。単なる例示として、機能活性化部材６２は、デジタルカメラ１０の１つの縁部に沿って配置するように示されている。
【００４３】
　さらにまた、本発明の方法は、検出段階を開始させるべく活性化部材６２を部分的に押下げ、相対移動を捉えながら活性化部材６２を完全に押下げることによって、実践可能である。
【００４４】
　さらにまた、本発明の方法は、検出段階を開始させるべく活性化部材６２を部分的に押下げ、そしてその検出段階を停止させるべく活性化部材６２を完全に押下げることによって、実践可能である。
【００４５】
　さらにまた、機能活性化部材６４を利用して本発明の方法を開始することができる。すなわち、選択機能部材６４の選択を指示すべく、移動可能／並進運動可能な選択インジケータ６６を利用し、かくして本発明の方法を開始させることができる。
【００４６】
　あるいは、選択インジケータ６６を利用してメニュー部材６８を選択し、かくして本発明を開始すべく表示装置４０上にメニュー（図示せず）を表示させることができる。本発明を開始させるためのその他の手段も、当業者であれば案出可能である。
【００４７】
　デジタルカメラ１０については、図９に「写真」という語で示されている画像の取込みを開始するために、選択インジケータ６６を利用することができる（すなわち画像取込みモード）。
【００４８】
　＜回転＞表示装置４０は、図１０に矢印７０で示すように回転させることもできる。例えば、表示された画像が所望の縦横比で表示されていない場合、かかる回転が望まれることがある。図１１（ａ）を参照すると、デジタルカメラ１０の表示装置４０は、標準的に、風景縦横比（すなわちｘ次元がｙ次元より大きい）として構成されている。しかしながら、図１１（ｂ）に示すように、肖像縦横比（すなわちｙ次元がｘ次元よりも大きい）で表示された画像を見ることが望まれることがある。従って、図３、１０および１１（ａ）〜（ｂ）を参照すると、本発明の方法に従って、表示装置４０の回転運動が検出され、かくして、検出されたその運動に従って画像内をナビゲートすることによって、表示装置４０上に表示される更新ビューが生成されることになる。図１０、１１（ａ）および（ｂ）を参照すると、図１１（ｂ）は、図１１（ａ）に示されたデジタルカメラ１０が、図１０に示す矢印７０に沿って回転させられた場合の更新ビューを示す。従って、表示された画像を、検出されたデジタル画像形成システムの動きに従って、表示装置４０との相対関係において回転させることができる。
【００４９】
　＜複数の画像＞表示装置４０上には同時に複数の画像を表示することができ、このとき本発明の方法は複数の画像について同時に実践される。例えば、複数の画像は、インデックスシート／プリント上に表示されるような複数のサムネイル画像である。サムネイル画像というのは、共通譲渡された米国特許第５，１６４，８３１号（Kuchta）の中で記述されているように作り出され得る低解像度の画像のことである。本発明の第２の実施形態によると、複数のデジタル画像がアクセスされ、デジタルカメラといったデジタル画像形成システムの表示装置上に表示される。表示装置の動きが検出され、そして検出されたその動きに従って複数のデジタル画像内をナビゲートすることにより、複数のデジタル画像の更新ビューが生成される。更新ビューがひとたび生成されると、表示装置上に複数のデジタル画像の更新ビューが表示される。
【００５０】
　＜ユーザ／周囲は表示装置との相対関係において動く＞デジタル画像形成システム１０は容易に移動可能でないことがある。本発明の第３の実施形態によると、固定デジタル画像形成システムと可動のユーザとの間の相対移動を検出することができる。すなわち、画像がアクセスされると、表示装置４０上に表示される。次に、表示装置４０との相対関係におけるユーザの動きが検出される。検出されたその動きに従ってデジタル画像内をナビゲートすることにより、デジタル画像の更新ビューが生成される。デジタル画像の更新ビューは次に表示装置４０上に表示される。
【００５１】
　さらなる実施形態においては、周囲内で移動可能な物体と固定デジタル画像形成システムとの間の相対移動を検出することができる。画像がアクセスされると、表示装置４０上に表示される。このとき、周囲との相対関係における表示装置の動きが検出される。検出されたその動きに従ってデジタル画像内をナビゲートすることにより、デジタル画像の更新ビューが生成される。デジタル画像の更新ビューは次に表示装置４０上に表示される。この要領で、ウィンドウを通して見るのと同じような効果が得られる。
【００５２】
　＜変化の速度／量＞変化の速度および変化の量は、制御可能な要因である。すなわち、表示装置４０上の更新ビュー（すなわち表示された画像）が、表示装置４０の動きとの相対関係において更新される速度、または検出されたその動きとの相対関係において該更新ビューが検出される速度を、制御することが望まれることがある。例えば、表示装置が検出された動きに全面的に応答して変化すると、ユーザは混乱して画像のどの部分が表示されているかについての展望を失ってしまう。従って、記憶された画像を横切っての動きが、検出された動きの速度の如何に拘らず、滑らかな遷移として見えるように、表示された画像の変化を、該表示され画像の何％かに制限することができる。動きの方向は動きの量よりもさらに重要であり、従って、その後に表示される画像間の差の量が、検出された動きの大きさに直接対応しない可能性がある。このために加速度計を利用することもできる。
【００５３】
　＜システム＞本発明によるデジタル画像形成システムは、表示装置の動きを検出するための少なくとも１つの検出用部材と、検出されたその動きに従って該少なくとも１つのデジタル画像内をナビゲートすることにより該少なくとも１つのデジタル画像の更新ビューを生成するためのプロセッサと、該少なくとも１つのデジタル画像の更新ビューを表示するための表示装置と、を含んでなる。
【００５４】
　デジタルカメラ１０として構成されたデジタル画像形成システムでは、要素は、図１〜１１（ｂ）に示すとおりでよい。より特定的には、検出用部材５２が図８（ｂ）に示されている。プロセッサ３２は図２に示され、表示装置４０は、図８（ｂ）を含む複数の図の中で示されている。
【００５５】
　上述のように、デジタル画像形成システムはキオスクとして構成できる。ここで図１２を参照すると、図１２は全体として、例えばEastman Kodak Company製のPicture MakerTMキオスクといったキオスクを示す。キオスク１０′は、当業者なら分かるように、メモリカード、メモリスティック、メディアカード、コンパクトフラッシュカード、フロッピーディスク、コンパクトディスク、ピクチャーＣＤなどといったデジタル記憶デバイスを収容可能な入力ポート８０と、デジタル画像を表示するための表示装置４０と、を含んでいる。表示装置４０は、キオスク１０′に対しユーザが情報およびデータを入力できるようにするタッチスクリーン表示装置であってもよいし、またそうでなければ情報およびデータを入力するのにキーボード８２を使用することもできる。キオスク１０′はスキャナ８４を含むことができ、このスキャナ８４は、ユーザが供給する視覚的画像をここで受け取り、それをデジタルファイルに記憶すべきデジタル形式に変換する。このキオスク１０′の中にはさらに、媒体の搬送を制御するデリバリセクション８６をオプションとして示している。このデリバリセクション８６は図１２ではキオスク１０′内の開口部として示されている。デジタル画像を含むデジタルファイルは、通信網９０を介し、キオスク１０′と、別の表示デバイス、サーバ、デジタルミニラボ、大規模現像所、遠隔コンピュータまたはその他のデジタルデバイス８８との間で、伝送することができる。
【００５６】
　キオスク１０′には、ユーザの動きを判定するため、検出用部材５２といった検出手段が備わっている。検出用部材５２は、カメラ、レンジファインダデバイス、動きセンサなどを含むことができる。図１２では、検出用部材５２は、キオスク１０′の前面に配置されたレンジファインダとして構成されている。複数の検出用部材を利用することができ、これらをキオスク１０′上の異なるところに配置する。キオスク１０′は、表示装置４０上の画像を修正すべく、ユーザの位置情報を利用することかできる。例えば、ユーザが一方の側に移動したことをキオスクが検出したとき、ユーザがあたかもウィンドウまたは開口部を通してビューを見ていて今度はそのウィンドウまたは開口部の外側のビューといった異なる部分を見るかのように、表示装置４０上に表示された画像が修正される。同様にして、ユーザが、表示装置により近く動いた場合、表示された画像は変化して以前よりも広いビューを提供することができる。
【００５７】
　あるいは、図１３に示すように、検出用部材５２は、ユーザの片方の足または両方の足の位置を判定可能な複数の検出器をもった、キオスク１０′の近くに配置されたマットとして構成される。
【００５８】
　別の構成が図１４に示されており、ここではさらに、ユーザが手持ちで移動することのできる携帯式表示装置４０′がキオスク１０′に含まれている。携帯式表示装置４０′は、携帯式表示装置４０′とユーザまたはキオスク１０′のいずれかとの間の相対移動が検出できるように、検出用部材５２が含まれる。このようにキオスク１０′は固定であり、表示装置４０′はキオスク１０′との相対関係において移動可能である。更新ビューは、携帯式表示装置４０′または表示装置４０のいずれかまたはその双方に表示できる。
【００５９】
　図１５は、キオスク１０′に含まれる機能の全体をダイヤグラムとして示している。ここに示されているように、キオスク１０′は、キーボード８２およびスキャナ８４を含むことができる。コンピュータ９２は標準的に、情報の流れおよびキオスク１０′内の各部の機能性管理をしている。キオスク１０′の内部にプリンタ９４があり、その例としてはEastman Kodak Company製のKodak Digital Science８６５０型がある。プリンタ９４は、サーマルまたはインクジェット用紙といった媒体上に画像を形成するため、コンピュータ９２の指令に応答する。入力された画像９８から形成された出力画像例が、図１５の中で９６として示されている。デジタル画像を受け取る１つの方法が、例えばメモリカード、フロッピーディスク、コンパクトディスク、ピクチャーＣＤまたはデジタルファイルの転送で使用されるその他の形の取外し可能媒体といった、取外し可能媒体１２を収容するための入力ポート８０の内部に設けられる取外し可能媒体読取り装置９９として、例示されている。
【００６０】
　コンピュータプログラムプロダクトは、例えば磁気ディスク（フロッピーディスクなどの）または磁気テープといった磁気記憶媒体、光ディスク、光学テープまたは機械読取り可能なバーコードといったような光学記憶媒体、ランダムアクセスメモリ（ＲＡＭ）または読取り専用メモリ（ＲＯＭ）といった固体電子記憶デバイスまたは、本発明による方法を実践するために１又はそれ以上のコンピュータを制御するための命令を含むコンピュータプログラムを記憶すべく利用されるその他のあらゆる物理的デバイスまたは媒体、といった１またはそれ以上の記憶媒体を含むことができる。
【図面の簡単な説明】
【００６１】
【図１】一般的に、本発明の方法と共に使用するのに適した画像取込みデバイスのデジタル画像形成システムを示す図である。
【図２】本発明と共に使用するのに適したデジタルカメラのブロック図である。
【図３】本発明による方法の第１の実施形態のフローチャートである。
【図４】デジタル画像例を示す図である。
【図５】図１のデジタルカメラの表示装置上に表示された図４のデジタル画像を示す図である。
【図６】（ａ）〜（ｆ）は、ユーザとの関係における図４のデジタルカメラの表示装置の動きを示す図である。
【図７】表示装置の動きを検出するために利用できる直交座標系を示す図である。
【図８】（ａ）および（ｂ）は、デジタルカメラの回転可能な部分の上に配置された検出用部材を有するデジタルカメラを示す図である。
【図９】表示装置の検出された動きに従った表示装置内に表示された図５のデジタル画像の更新ビューを示す図である。
【図１０】直交座標系との関係におけるデジタルカメラの回転を示す図である。
【図１１】（ａ）および（ｂ）は、それぞれ風景縦横比および肖像縦横比で配置されたデジタルカメラの表示装置を示す図である。
【図１２】キオスクとして構成された本発明によるデジタル画像形成システムを全体的に示す図である。
【図１３】検出器部材が、キオスクの近くに配置されたマットとして構成されている、図１２のキオスクを示す図である。
【図１４】ユーザが手で持ち移動させることのできる携帯式表示装置をさらに含む図１２のキオスクを示す図である。
【図１５】図１２のキオスクの機能を示す図である。
【符号の説明】
【００６２】
１０…デジタルカメラ
１０′…キオスク
１１…ハウジング
１２…取外し可能メモリカード
１４…ズームレンズ
１６…焦点モータ
１８…画像センサ
２０…クロックドライバ
２２…タイミング発生器
２４…自動焦点および自動露光検出器
２６…フラッシュ
２８…コンバータ
３０…ＤＲＡＭバッファメモリー
３２…画像プロセッサ
３４…ファームウェアメモリ
３６…メモリカードインタフェース
３８…ＲＡＭメモリ
３９…内部メモリ
４０…表示装置
４０′…携帯式表示装置
４２…ユーザ制御部
４４…コンピュータ
４６…インタフェースケーブル
４８…ホストインタフェース
４９…セルラープロセッサ
５０…デジタル画像
５０′…更新されたビュー
５１…セルラーモデム
５２…検出用部材
６０…画像取込み実施部材
６２…機能活性化部材
６４…機能部材
６６…選択インジケータ
６８…メニュー部材
８０…入力ポート
８２…キーボード
８４…スキャナ
８６…デリバリセクション
８８…デジタルデバイス
９０…通信網
９２…コンピュータ
９４…プリンタ
９６…出力画像
９８…入力画像
９９…取外し可能媒体読取り装置
【図１】
2004135354.tif 000003
【図２】
2004135354.tif 000004
【図３】
2004135354.tif 000005
【図４】
2004135354.tif 000006
【図５】
2004135354.tif 000007
【図６】
2004135354.tif 000008
【図７】
2004135354.tif 000009
【図８】
2004135354.tif 000010
【図９】
2004135354.tif 000011
【図１０】
2004135354.tif 000012
【図１１】
2004135354.tif 000013
【図１２】
2004135354.tif 000014
【図１３】
2004135354.tif 000015
【図１４】
2004135354.tif 000016
【図１５】
2004135354.tif 000017